(57)【要約】【課題】感震ユニットにおいては、地震振動だけではなく、生活による振動、衝撃でも動作する誤動作が発生するという問題点があった。【解決手段】駆動用の電源回路１と、振動を検知する感震器２と、前記感震器２の出力を地震と生活振動とに判別する地震判定部３と、前記地震判定部３の所定判別出力を受けて、地震検知を出力する制御手段４と、前記制御手段の出力により点灯する照明手段１１を備えたことで、高い地震検知精度によって照明点灯する高度保安の感震ユニットを提供できる。【選択図】図１
2006105759.tif 000002
【特許請求の範囲】
【請求項１】
駆動用の電源回路と、振動を検知する感震器と、前記感震器の出力を地震と生活振動とに判別する地震判定部と、前記地震判定部の所定判別出力を受けて、地震検知を出力する制御手段と、前記制御手段の出力により点灯する照明手段を備えた感震ユニット。
【請求項２】
過熱防止スイッチと報知機能を備えた請求項１記載の感震ユニット。
【請求項３】
圧電型の振動加速度検出手段を用いた３次元方向の振動が検出可能なように配置した３次元振動検出感震器を備えた請求項２記載の感震ユニット。
【請求項４】
送受信装置を備えた請求項２記載の感震遮断コンセント。
【発明の詳細な説明】
【技術分野】
【０００１】
本発明は、地震時の振動を判別検知して、防災を目的とした機能を持つ家庭用の感震ユニットに関するものである。
【背景技術】
【０００２】
従来のこの種の感震ユニットは地震、火災等の異常検出時に電力遮断等により災害時の二次災害の防止を図っている（例えば特許文献１参照）。
【０００３】
図５は特許文献１に記載された従来のコンセント機能付の感震ユニットで、１は電源回路、２は感震器、４は制御手段、５は遮断手段、６は復帰手段、７はプラグ、８はレセプタクル、９は収納ケースで構成されている。
【特許文献１】特開平１０−１４４４０９号公報（第１２頁第１４図）
【発明の開示】
【発明が解決しようとする課題】
【０００４】
しかしながら、前記従来の構成では、一定値以上の加速度が加わると地震振動だけではなく、生活による振動、衝撃でも動作する誤動作が発生するという問題点があった。
【０００５】
本発明は、生活による振動、衝撃による誤動作を防止することにより、高精度の感震ユニットを実現することを目的とする。
【課題を解決するための手段】
【０００６】
この課題を解決するために本発明は、感震器の出力により地震振動と生活振動の判別を行う判定部を設けて、判定出力で照明を機能させる感震ユニットの誤動作を防止するように構成したものである。これにより、誤動作のない高精度の感震ユニットが得られる。
【発明の効果】
【０００７】
本発明の感震ユニットは、感震器の出力を地震と生活振動とを判別することで、感震検知精度の飛躍的な向上を実現することができる。
【発明を実施するための最良の形態】
【０００８】
第１の発明は、駆動用の電源回路と、振動を検知する感震器と、前記感震器の出力を地震と生活振動とに判別する地震判定部と、前記地震判定部の所定判別出力を受けて、地震検知を出力する制御手段と、前記制御手段の出力により点灯する照明手段を備えた感震ユニットとしたものである。
【０００９】
そして、感震器の出力を、地震波特性、衝撃特性（生活振動）を折り込んだ判別ロジックを有する地震判定部で判定出力して、照明を点灯させることによって、高い地震検知精度によって照明点灯する高度保安の感震ユニットを提供できる。
【００１０】
第２の発明は、第１の発明に過熱防止手段を備えたことを特徴とする感震ユニットとしたもので、地震等による火災での温度上昇を過熱防止スイッチで検知して報知する火災検知機能を付加した多機能感震ユニットを提供できる。
【００１１】
第３の発明は、第２の発明の感震器を圧電型の振動加速度検出手段を用いた３次元方向の振動が検出可能なように配置した３次元振動検出感震器を備えた感震ユニットで、圧電方式の特徴である振動に対してだけに出力することにより設置姿勢に左右されないで振動検知できる設置フリーが実現できると共に、３軸検知することにより、地震検知精度向上及び地震による加速度の大きさによる地震の情報提供が実現できる設置フリーの高精度感震ユニットを提供できる。
【００１２】
第４の発明は、第２の発明に送受信装置を備えたことを特徴とする感震ユニットとしたものであり、同一家屋内に設置された感震ユニットへの送信による報知、無線端末機からのガスメータのガス遮断、水道メータの水道遮断、救助依頼通報等、地震遭遇時の非常事態通報が実現できる高度保安の感震ユニットを提供できる。
【００１３】
以下、本発明の実施の形態について、図面を参照しながら説明する。なお、この実施形態によって本発明が限定されるものではない。
【００１４】
（実施の形態１）
図１は第１における感震ユニットの構成図を示すものである。
【００１５】
図１において、電源回路１は、駆動用の電源である。
【００１６】
感震器２は、地震振動及び生活振動の一定値以上の加速度を受けると、振動周波数に応じたＯＮ−０ＦＦ信号を地震判定部３に出力し、地震判定部３は、この感震器２の出力信号を受けて、地震と生活振動とを判別する判定ロジックによって、地震と判定すると照明機能信号を制御手段４に出力して、制御手段４は照明機能信号を受けて照明手段５を点灯する。また加熱防止スイッチ６は、大気雰囲気を検知する構成とし、制御手段４、報知手段７と電気的に接続されている。収納ケース９は上記構成物を収納し、壁等に固定する固定部を備えている。
【００１７】
以上のように構成された感震ユニットについて、以下その動作、作用を説明する。
【００１８】
振動を検知した感震器２の出力を、図３の波形が示すように低周波（５Ｈｚ以下）の地震波形と高周波〜低周波の生活振動波形を折り込んだ判別ロジックを有する地震判定部３で判定出力して地震時に制御手段４で照明手段５を点灯する。判別ロジックは、振動検知後の所定時間の周波数と加速度により判別する。また過熱防止スイッチ６は周囲温度を検知して、制御手段４に検知温度を入力し制御手段４で火災異常を判定して、報知手段７により異常報知する。
【００１９】
以上のように、実施の形態１においては、感震器２の出力を地震と生活振動とを判別する判定ロジックで判別する地震判定部３を設けることで、感震検知精度の飛躍的な向上を実現することができる。また、本実施の形態において加熱防止スイッチを構成することで火災検知機能の実現を図った高精度多機能感震ユニットを供給できる。
【００２０】
（実施の形態２）
図２は第２の実施形態における感震ユニットの構成図を示すものである。
【００２１】
図２において、実施の形態２では３次元振動検出感震器１２または、送受信装置１４を備えている。
【００２２】
以上のように構成された感震ユニットについて、その動作、作用を説明する。
【００２３】
実施の形態２では、感震検知精度向上の実現するため、図４の圧電型でＸ軸、Ｙ軸、Ｚ軸の３方向振動検知によるベクトル合成で出力する３次元振動検出感震器１３によって振動検知を行う。この３次元振動検出器１３は、傾き検出が可能な圧電型で、取り付け姿勢による検出誤差補正が可能で更なる感震検知精度の向上が図れる。
【００２４】
また、実施の形態において、多機能による保安機能の向上を目的として、送受信装置
１２を備えることで、地震により振動発生する場合、同じ建物でも建物の構造、地殻、検知場所によって検知加速度が異なることになる。このことは、同じ建物に設置してある感震ユニットでも動作するものと動作しないものが発生する可能性があるということである。この場合、送受信装置１４を備えることにより、感震検知した感震ユニットから他の未検知の感震ユニットへ照明手段点灯を発信して、建物全体の保安確保が可能となる。また、地震情報を無線端末機等の種々の伝達手段により、家庭で使用されているガス、水道等のエネルギー設備に送受信することで、緊急災害でのエネルギー遮断による建物の保安が確保される保安拡大が可能となる。
【００２５】
以上のように、実施の形態２においては、３次元振動検出感震器１３を設けることにより、設置フリーで高精度の感震ユニットが供給できる。
【００２６】
又、送受信装置１４を設けることにより、緊急災害時でのエネルギー遮断による建物全体の保安が可能な感震ユニットが供給できる。
【産業上の利用可能性】
【００２７】
以上のように本発明にかかる感震ユニットは、地震振動検知精度の向上、エネルギーの遮断による二次災害の回避、火災回避及び早期非難ができる多機能高度保安の感震ユニットを提供できるので、多機能化で防犯等の用途にも適用できる。
【図面の簡単な説明】
【００２８】
【図１】本発明の実施形態１及び実施形態２による感震ユニット構成図
【図２】本発明の実施形態３及び実施形態４による感震ユニット構成図
【図３】（ａ）本発明の実施形態による地震判定部の地震時の波形図（ｂ）本発明の実施形態による地震判定部の生活振動による衝撃波形図
【図４】本発明の実施形態３による３次元振動検出感震器の構成図
【図５】従来の感震ユニット構成図
【符号の説明】
【００２９】
１  電源回路
２  感震器
３  地震判定部
４  制御手段
５  遮断手段
６  復帰手段
７  プラグ
８  レセプタクル
９  収納ケース
１０  過熱防止スイッチ
１１  照明手段
１２  報知手段
１３  ３次元振動検知感震器
１４  送受信装置
【図１】
2006105759.tif 000003
【図２】
2006105759.tif 000004
【図３】
2006105759.tif 000005
【図４】
2006105759.tif 000006
【図５】
2006105759.tif 000007